(57)【特許請求の範囲】
【請求項１】
受信装置と、第１映像信号及び第２映像信号を出力する情報処理装置に電源を供給する電源装置及び前記情報処理装置に接続される送信装置とを有する電源制御システムであって、
前記受信装置は、電源スイッチと、前記第１映像信号の受信に使用する第１信号線とは異なる、前記第２映像信号の受信に使用する第２信号線を介して、前記電源装置のオン／オフに利用される前記電源スイッチのスイッチ信号を前記送信装置に送信する送信手段とを備え、
前記送信装置は、前記第２映像信号及び前記電源スイッチのスイッチ信号が混在する第２信号線から前記電源スイッチのスイッチ信号を取得する取得手段と、前記電源スイッチのスイッチ信号を前記電源装置に出力する出力手段とを備え、
前記受信装置と前記送信装置とは、前記第１信号線及び前記第２信号線を含む１本のネットワークケーブルで接続されていることを特徴とする電源制御システム。
【請求項２】
前記第１映像信号及び前記第２映像信号は、前記送信装置から前記受信装置に映像同期信号を伝送するためのブランク期間を含み、
前記送信手段は、前記第１映像信号に重畳された映像同期信号に同期させて、前記第２信号線を介して、前記電源スイッチのスイッチ信号を前記送信装置に送信することを特徴とする請求項１に記載の電源制御システム。
【請求項３】
前記取得手段は、前記映像同期信号と同期したタイミングで、前記第２信号線から前記電源スイッチのスイッチ信号を取得することを特徴とする請求項２に記載の電源制御システム。
【請求項４】
前記電源装置は、前記送信装置からのスイッチ信号に応じて、前記情報処理装置に電源を供給する又はその供給を中止することを特徴とする請求項１乃至３のいずれか１項に記載の電源制御システム。
【請求項５】
前記送信装置は、前記スイッチ信号をデジタルパターンで構成されるパターン信号に変更する変更手段を備え、前記取得手段は、前記第２映像信号及び前記パターン信号が混在する第２信号線から前記パターン信号を取得することを特徴とする請求項１乃至４のいずれか１項に記載の電源制御システム。
【発明の詳細な説明】
【技術分野】
【０００１】
本発明は、受信装置と、映像信号を出力する情報処理装置及び当該情報処理装置に電源を供給する電源装置に接続される送信装置とを有する電源制御システムに関する。
【背景技術】
【０００２】
従来より、映像信号に当該映像信号以外の電源制御用の信号を重畳して遠隔地に送信する技術が知られている（例えば、特許文献１〜３参照）。
【０００３】
これらの技術では、制御装置と被制御装置との間を専用の同軸ケーブルやデジタルインタフェース線で接続している。
【特許文献１】特開平７−２０３４９１号公報
【特許文献２】特開平５−８３６８９号公報
【特許文献３】特開平１１−３４０９７４号公報
【発明の開示】
【発明が解決しようとする課題】
【０００４】
しかしながら、特許文献１〜３の技術では、制御装置と被制御装置との間を専用の同軸ケーブルやデジタルインタフェース線で接続していため、１本のケーブルで足りることもあるが、制御装置と被制御装置との間を規格が決まっているケーブルで接続する場合、１本のケーブルで足りない場合がある。
【０００５】
例えば、図９の電源制御システムのように、ローカル装置とリモート装置との間が数百メートルのCat5（category 5）ケーブル、即ちＬＡＮケーブルで接続される場合、ローカル装置は、パソコンから受信したＲＧＢ信号をリモート装置に作動信号として出力するため、１本のＬＡＮケーブル内に含まれる８本の信号線のうち、６本がＲＧＢ信号により占有される。また、マウス、キーボード、プリンタからのシリアル信号は、リモート装置からローカル装置へ作動信号として出力されるため、１本のＬＡＮケーブル内に含まれる８本の信号線のうち、２本がシリアル信号により占有される。よって、８本の信号線には空きがなくなる。
【０００６】
この状態で、リモート装置からローカル装置を介してリモート電源へ電源のＯＮ／ＯＦＦを指示する信号を送信するためには、ローカル装置とリモート装置との間に新たなＬＡＮケーブルを接続する必要がある。
【０００７】
結果として、ローカル装置とリモート装置との間に接続されるＬＡＮケーブルの本数が増えるため、ＬＡＮケーブルの配線作業が煩雑化し、コストパフォーマンスが悪化する。
【０００８】
本発明の目的は、ケーブルの配線作業を容易化し、コストパフォーマンスを向上させることができる電源制御システムを提供することにある。
【課題を解決するための手段】
【０００９】
上記目的を達成するため、本発明の電源制御システムは、受信装置と、第１映像信号及び第２映像信号を出力する情報処理装置に電源を供給する電源装置及び前記情報処理装置に接続される送信装置とを有する電源制御システムであって、前記受信装置は、電源スイッチと、前記第１映像信号の受信に使用する第１信号線とは異なる、前記第２映像信号の受信に使用する第２信号線を介して、前記電源装置のオン／オフに利用される前記電源スイッチのスイッチ信号を前記送信装置に送信する送信手段とを備え、前記送信装置は、前記第２映像信号及び前記電源スイッチのスイッチ信号が混在する第２信号線から前記電源スイッチのスイッチ信号を取得する取得手段と、前記電源スイッチのスイッチ信号を前記電源装置に出力する出力手段とを備え、前記受信装置と前記送信装置とは、前記第１信号線及び前記第２信号線を含む１本のネットワークケーブルで接続されていることを特徴とする。
【００１０】
かかる構成によれば、ネットワークケーブル１本を介して遠隔地にある電源装置のオン／オフを制御することができる。また、ケーブルの配線作業を容易化し、コストパフォーマンスを向上させることができる。
【００１１】
好ましくは、前記第１映像信号及び前記第２映像信号は、前記送信装置から前記受信装置に映像同期信号を伝送するためのブランク期間を含み、前記送信手段は、前記第１映像信号に重畳された映像同期信号に同期させて、前記第２信号線を介して、前記電源スイッチのスイッチ信号を前記送信装置に送信することを特徴とする。
【００１２】
かかる構成によれば、第２映像信号のブランク期間を利用してスイッチ信号を送信装置に送信するので、第２映像信号とスイッチ信号とが衝突することがなく、スイッチ信号を確実に送信装置に送信することができる。また、第２映像信号とスイッチ信号とは、互いに逆方向に送信することができる。
【００１３】
より好ましくは、前記取得手段は、前記映像同期信号と同期したタイミングで、前記第２信号線から前記電源スイッチのスイッチ信号を取得することを特徴とする。
【００１４】
かかる構成によれば、第２信号線内で第２映像信号と混在化したスイッチ信号を確実に取得することができる。
【００１５】
好ましくは、前記電源装置は、前記送信装置からのスイッチ信号に応じて、前記情報処理装置に電源を供給する又はその供給を中止することを特徴とする。
【００１６】
かかる構成によれば、受信装置が、ネットワークケーブル及び送信装置を介して電源装置から情報処理装置への電源の供給又はその供給の中止を制御することができる。
【００１７】
好ましくは、前記送信装置は、前記スイッチ信号をデジタルパターンで構成されるパターン信号に変更する変更手段を備え、前記取得手段は、前記第２映像信号及び前記パターン信号が混在する第２信号線から前記パターン信号を取得することを特徴とする。
【００１８】
かかる構成によれば、第２映像信号と混在化したパターン信号をより正確に取得することができ、本システムの誤動作を防止することができる。
【発明の効果】
【００１９】
本発明によれば、ケーブルの配線作業を容易化し、コストパフォーマンスを向上させることができる。
【発明を実施するための最良の形態】
【００２０】
以下、図面を参照しながら本発明の実施の形態を説明する。
【００２１】
図１は、本発明の実施の形態に係る電源制御システムの概略構成図である。
【００２２】
同図に示すように、電源制御システムは、送信装置１、受信装置２、電源装置３、コンピュータ（以下ＰＣという）４、ネットワークケーブルとしてのＬＡＮケーブル５、プリンタ６、マウス７、キーボード８、及びモニタ９を備えている。
【００２３】
送信装置１は、電源のＯＮ／ＯＦＦを示す信号を電源装置３に送信すると共にＰＣ４からＲＧＢ信号を受信する通信部１０１と、送信装置１全体を制御する制御部１０２と、不図示のプリンタ等と接続可能なＲＳ−２３２Ｃ端子１０３と、不図示のマウスと接続可能なＰＳ／２端子１０４と、不図示のキーボードと接続可能なＰＳ／２端子１０５と、不図示のモニタと接続可能なビデオ端子１０６と、ＬＡＮケーブル５と接続するＬＡＮ端子１０７とを備えている。制御部１０８は、システムバス１０８を介して通信部１０１、ＲＳ−２３２Ｃ端子１０３、ＰＳ／２端子１０４，１０５、ビデオ端子１０６及びＬＡＮ端子１０７に接続されている。送信装置１は、ＬＡＮ端子を複数備えていてもよい。
【００２４】
受信装置２は、受信装置２全体を制御する制御部２０１と、プリンタ６とするＲＳ−２３２Ｃ端子２０２と、マウス７と接続するＰＳ／２端子２０３と、キーボード８と接続するＰＳ／２端子２０４と、モニタ９と接続するビデオ端子２０５と、電源装置３からＰＣ４に供給される電源のＯＮ／ＯＦＦを示す信号（以下スイッチ信号という）を出力するスイッチ２０６と、ＬＡＮケーブル５と接続するＬＡＮ端子２０７とを備えている。制御部２０１は、システムバス２０８を介してＲＳ−２３２Ｃ端子２０２、ＰＳ／２端子２０３，２０４、ビデオ端子２０５及びスイッチ２０６に接続されている。受信装置２は、ＬＡＮ端子を複数備えていてもよい。
【００２５】
電源装置３は、受信装置２のスイッチ２０６から送信装置１を介して送信されるスイッチ信号に基づいて、ＰＣ４に１００Ｖの電源を供給する又はその供給を中止する。図２に、電源装置３の概略構成を示す。電源装置３は、制御部３１及び供給部３２を備えている。制御部３１が送信装置１からオンのスイッチ信号を受信すると、供給部３２は、１００Ｖの電源をＰＣ４に供給し、制御部３１が送信装置１からオフのスイッチ信号を受信すると、供給部３２は、１００Ｖの電源をＰＣ４に供給することを中止する。つまり、受信装置２のスイッチ２０６は、ＬＡＮケーブル５及び送信装置１を介して電源装置３からＰＣ４への電源の供給又はその供給の中止を制御することができる。
【００２６】
ＰＣ４は、電源装置３から電源の供給を受けているときに、ＲＧＢ信号（Red信号、Green信号、Blue信号を含む）、垂直同期信号（Vsync）、及び水平同期信号（Hsync）を送信装置１に送信する。送信装置１は、Ｇ信号に水平同期信号を重畳し、Ｂ信号に垂直同期信号を重畳し、２つの重畳信号及びＲ信号をＬＡＮケーブル５を介して受信装置２に送信する。
【００２７】
受信装置２は、ＬＡＮケーブル５を介して２つの重畳信号及びＲ信号を受信し、２つの重畳信号を元に戻し、垂直同期信号及び水平同期信号を使って、モニタ９にＲＧＢ信号を出力する。
【００２８】
マウス７からのマウス信号及びキーボード８からのキー信号は、ＬＡＮケーブル５及び送信装置１を介してＰＣ４に送信される。プリンタ６から印刷する場合には、マウス７又はキーボード８からプリントの指示信号をＬＡＮケーブル５及び送信装置１を介してＰＣ４に送信し、ＰＣ４からＬＡＮケーブル５及び送信装置１を介してプリンタ６へプリントコマンドが送信され、プリンタ６で印刷が実行される。
【００２９】
図３は、ＬＡＮケーブル５の仕様を示す図である。
【００３０】
ＬＡＮケーブル５は、例えばCat5（category 5）ケーブルで構成され、８本の信号線を含む。番号１，２の信号線には、差動信号としてのＲ信号（図３のＲ＋，Ｒ−）が送信装置１から受信装置２に流れている。受信装置２は、Ｒ信号が流れていないブランク期間に、スイッチ信号を送信装置１に送信する。
【００３１】
番号４，５の信号線には、差動信号としてのＧ信号（図３のＧ＋，Ｇ−）が送信装置１から受信装置２に流れており、番号７，８の信号線には、差動信号としてのＢ信号（図３のＢ＋，Ｂ−）が送信装置１から受信装置２に流れている。送信装置１において、Ｇ信号には水平同期信号が重畳され、Ｂ信号には垂直同期信号が重畳され、受信装置２において、これらの重畳信号は元に戻される。
【００３２】
番号３，６の信号線には、差動信号としてのシリアル信号（図３のＳＡ，ＳＢ）が流れている。このシリアル信号は、プリンタ６へのプリントコマンドを含む信号、マウス７からのマウス信号、キーボード８からのキー信号を有する。
【００３３】
図４は、ＲＧＢ信号、水平同期信号及び垂直同期信号のタイミングチャートを示す図である。尚、このタイミングチャートは、Video Electronics Standards Association (VESA) のMonitor Timing Specifications 640*350@85Hz の規格に対応している。
【００３４】
同図に示すように、ＲＧＢ信号は、水平同期期間用のブランク期間（６．０９５μｓ）、垂直同期期間用のブランク期間（２．５０９ｍｓ）、表示期間（２０．３１７μｓ）を含む。水平同期信号は、上記水平同期期間用のブランク期間に対応する周期で水平同期期間（２．０３２μｓ）を含み、垂直同期信号は、上記垂直同期期間用のブランク期間に対応する周期で垂直同期期間（０．０７９ｍｓ）を含む。
【００３５】
このタイミングチャートでは、水平同期信号が６４０回出力されると、垂直同期信号が１回出力され、これを３５０回繰り返すことで１画面の表示が形成される。
【００３６】
図５は、送信装置１及び受信装置２の概略回路図である。
【００３７】
送信装置１は、重畳回路１５１ａ〜１５１ｃ、ターミネータ１５２ａ〜１５２ｃ、アンプ１５３、コンパレータ１５４、同期回路１５５（取得手段）及びラッチ１５６（出力手段）を備えている。受信装置は、ターミネータ２５１ａ〜２５１ｃ、分離回路２５２ａ〜２５２ｃ、スイッチ２０６、インターフェース（Ｉ／Ｆ）回路２５４、及びトランスミッター２５５（送信手段）を備えている。
【００３８】
重畳回路１５１ａは、一端を接地しており、差動信号としてのＲ信号を入力する。ここでは、Ｒ信号はそのまま出力される。重畳回路１５１ｂは、差動信号としてのＧ信号及び水平同期信号（Hsync）を入力し、Ｇ信号に水平同期信号を重畳し、この重畳信号を出力する。重畳回路１５１ｃは、差動信号としてのＢ信号及び垂直同期信号（vsync）を入力し、Ｂ信号に垂直同期信号を重畳し、この重畳信号を出力する。
【００３９】
ターミネータ１５２ａ〜１５２ｃは、重畳回路１５１ａ〜１５１ｃからそれぞれ出力された信号の反射を防ぎ、それぞれの信号の乱れを防止する。タームネータ２５１ａ〜２５１ｃは送信装置１からそれぞれ出力された信号の反射を防ぎ、それぞれの信号の乱れを防止する。
【００４０】
分離回路２５２ａ〜２５２ｃは、重畳信号を元の信号に戻す。分離回路２５２ａは送信装置１からのＲ信号を入力するが、Ｒ信号には同期信号が重畳されていないので、そのままＲ信号を出力する。分離回路２５２ｂは、水平同期信号が重畳されたＧ信号を入力し、水平同期信号とＧ信号とに分離し、それぞれ出力する。分離回路２５２ｃは、垂直同期信号が重畳されたＢ信号を入力し、垂直同期信号とＢ信号とに分離し、それぞれ出力する。ここで出力された垂直同期信号は、トランスミッター２５５に入力される。
【００４１】
Ｉ／Ｆ回路２５４は、スイッチ２０６がオンされたときに発生するチャタリングと呼ばれるノイズを除去し、スイッチ信号をトランスミッター２５５に出力する。
【００４２】
トランスミッター２５５は、垂直同期信号のタイミングに同期させて、スイッチ信号をＲ信号の伝送に使用される信号線（即ち、上記番号１，２の信号線）を介して送信装置１に送信する。図４のタイミングチャートに示したように、垂直同期信号は、ＲＧＢ信号（ここではＲ信号）の垂直同期信号用のブランク期間に送られてくるため、垂直同期信号のタイミングに同期させて、スイッチ信号を送信装置１に送信しても、ＬＡＮケーブル５内の番号１，２の信号線では、Ｒ信号とスイッチ信号とが衝突することはない。つまり、番号１，２の信号線では、Ｒ信号の表示期間中は、Ｒ信号が送信装置１から受信装置２に送信され、垂直同期信号用のブランク期間中は、スイッチ信号が受信装置２から送信装置１に送信される。
【００４３】
送信装置１側では、ターミネータ１５２ａが５０Ωの抵抗でターミネートしているので、アンプ１５３では、混在したＲ信号とスイッチ信号とに対応する電圧の検出が行える。アンプ１５３には、混在したＲ信号とスイッチ信号とが入力され、これらの信号を増幅して、コンパレータ１５４に出力する。コンパレータ１５４は、増幅したＲ信号とスイッチ信号とをデジタル化し、同期回路１５５に出力する。同期回路１５５は、垂直同期信号のタイミングに合わせて、デジタル化されたＲ信号とスイッチ信号とからスイッチ信号を抽出し、ラッチ１５６に出力する。ラッチ１５６は、スイッチ信号を保持し、所定のタイミングにて、スイッチ信号を電源装置３に出力する。
【００４４】
以上説明したように、本電源制御システムによれば、受信装置２は、スイッチ２０６と、Ｂ信号に重畳された垂直同期信号に同期させて、Ｂ信号の受信に使用する番号７，８の信号線とは異なる、Ｒ信号の受信に使用する番号１，２の信号線を介して、電源装置３のオン／オフに利用されるスイッチ信号を送信装置１に送信するトランスミッター２５５とを備え、送信装置１は、垂直同期信号に基づいて、Ｒ信号及びスイッチ信号が混在する番号１，２の信号線からスイッチ信号を取得する同期回路１５５と、スイッチ信号を電源装置３に出力するラッチ１５６とを備え、受信装置２と送信装置１とは、番号１，２及び番号７，８の信号線を含む１本のＬＡＮケーブル５で接続されている。
【００４５】
よって、ＬＡＮケーブル１本を介して遠隔地にある電源装置のオン／オフを制御することができる。また、従来必要とされた２本のＬＡＮケーブルが１本で足りるので、ケーブルの配線作業が容易化し、コストパフォーマンスを向上させることができる。
【００４６】
図６は、送信装置１及び受信装置２の回路の第１変形例を示す図である。
【００４７】
図６は、トランスミッター２５５に入力される同期信号がＧ信号に重畳された水平同期信号である点及び同期回路１５５に入力される同期信号が水平同期信号である点で、図５と異なり、その他の点は図５と同一である。図６では、ＬＡＮケーブル５内の番号１，２の信号線では、Ｒ信号の表示期間中は、Ｒ信号が送信装置１から受信装置２に送信され、水平同期信号用のブランク期間中は、スイッチ信号が受信装置２から送信装置１に送信される。
【００４８】
図６の電源制御システムによれば、受信装置２は、スイッチ２０６と、Ｇ信号に重畳された水平同期信号に同期させて、Ｇ信号の受信に使用する番号４，５の信号線とは異なる、Ｒ信号の受信に使用する番号１，２の信号線を介して、電源装置３のオン／オフに利用されるスイッチ信号を送信装置１に送信するトランスミッター２５５とを備え、送信装置１は、水平同期信号に基づいて、Ｒ信号及びスイッチ信号が混在する番号１，２の信号線からスイッチ信号を取得する同期回路１５５と、スイッチ信号を電源装置３に出力するラッチ１５６とを備え、受信装置２と送信装置１とは、番号１，２及び番号４，５の信号線を含む１本のＬＡＮケーブル５で接続されている。
【００４９】
よって、ＬＡＮケーブル１本を介して遠隔地にある電源装置のオン／オフを制御することができる。また、従来必要とされた２本のＬＡＮケーブルが１本で足りるので、ケーブルの配線作業が容易化し、コストパフォーマンスを向上させることができる。
【００５０】
図７は、送信装置１及び受信装置２の回路の第２変形例を示す図である。
【００５１】
図７は、受信装置２がＩ／Ｆ回路２５４とトランスミッター２５５との間にマイコン２５６（変更手段）を備える点、及び送信装置１が同期回路１５５及びラッチ１５６に代えてマイコン１５７（取得手段、出力手段）を備える点で、図５と異なり、その他の点は図５と同一である。
【００５２】
図７において、Ｉ／Ｆ回路２５４からスイッチ信号が出力されると、マイコン２５６はスイッチ信号を入力し、垂直同期信号のタイミングに同期させて、自身で作成したパターン信号をトランスミッター２５５に出力する。このパターン信号は、電源のＯＮ／ＯＦＦを示すスイッチ信号を複雑化したものであり、「０」と「１」のデジタルパターンを複雑に組み合わせたものである。例えば、パターン信号は、１６桁の「0101101011100110」である。これにより、マイコン１５７でＲ信号と混在化したパターン信号をより確実に抽出することができ、本システムの誤動作をより防止することができる。
【００５３】
トランスミッター２５５は、マイコン２５６からのパターン信号を送信装置１に送信する。アンプ１５３は、混在したＲ信号とパターン信号とが入力され、これらの信号を増幅して、コンパレータ１５４に出力する。コンパレータ１５４は、増幅したＲ信号とパターン信号とをデジタル化し、マイコン１５７に出力する。マイコン１５７は、同期回路１５５及びラッチ１５６の機能を兼ね備えており、垂直同期信号のタイミングに合わせて、デジタル化されたＲ信号とパターン信号とからパターン信号を抽出し、所定のタイミングにて、パターン信号を電源装置３に出力する。
【００５４】
図７の電源制御システムによれば、受信装置２は、スイッチ２０６と、Ｂ信号に重畳された垂直同期信号に同期させて、Ｂ信号の受信に使用する番号７，８の信号線とは異なる、Ｒ信号の受信に使用する番号１，２の信号線を介して、電源装置３のオン／オフに利用されるパターン信号を送信装置１に送信するマイコン２５６及びトランスミッター２５５とを備え、送信装置１は、垂直同期信号に基づいて、Ｒ信号及びスイッチ信号が混在する番号１，２の信号線からパターン信号を取得し、パターン信号を電源装置３に出力するマイコン１５７を備え、受信装置２と送信装置１とは、番号１，２及び番号７，８の信号線を含む１本のＬＡＮケーブル５で接続されている。
【００５５】
よって、ＬＡＮケーブル１本を介して遠隔地にある電源装置のオン／オフを制御することができる。また、従来必要とされた２本のＬＡＮケーブルが１本で足りるので、ケーブルの配線作業が容易化し、コストパフォーマンスを向上させることができる。
【００５６】
また、図５〜図７の電源制御システムによれば、Ｒ信号の水平同期信号用又は垂直同期信号用のブランク期間中に、水平同期信号又は垂直同期信号に同期させて、スイッチ信号又はパターン信号を送信装置１に送信するので、Ｒ信号とスイッチ信号又はパターン信号とが衝突することがなく、スイッチ信号又はパターン信号を確実に送信装置に送信することができる。また、Ｒ信号とスイッチ信号又はパターン信号とは、番号１，２の信号線を介して、互いに逆方向に送信することができる。
【００５７】
さらに、送信装置１の同期回路１５５又はマイコン１５７は、水平同期信号又は垂直同期信号に同期したタイミングで、番号１，２の信号線からスイッチ信号又はパターン信号を取得するので、番号１，２の信号線内でＲ信号と混在化したスイッチ信号又はパターン信号を確実に取得することができる。
【００５８】
尚、本実施の形態では、Ｇ信号に水平同期信号を重畳し、Ｂ信号に垂直同期信号を重畳したが、水平同期信号及び垂直同期信号の重畳先は、Ｒ信号、Ｇ信号及びＢ信号のいずれであってもよい。但し、水平同期信号及び垂直同期信号が同時に１つの信号に重畳されないようにする。
【００５９】
また、本実施の形態では、Ｇ信号に水平同期信号を重畳し、Ｂ信号に垂直同期信号を重畳したが、上記実施の形態の説明は、水平同期信号と垂直同期信号とが合成されたコンポジットタイプの同期信号にも適用できる。コンポジットタイプの同期信号を利用する場合には、受信装置２が、ＲＧＢのいずれかの信号の同期信号用のブランク期間中に、コンポジットタイプの同期信号のタイミングに合わせて、スイッチ信号又はパターン信号を送信装置１を介して電源装置３に送信する。
【００６０】
これにより、上記実施の形態と同様の効果を奏する。さらに、ＲＧＢのいずれか１つの信号にコンポジットタイプの同期信号が重畳される場合、残りの２つの信号の同期信号用のブランク期間が空いているため、この同期信号用のブランク期間を利用して、スイッチ信号又はパターン信号以外の信号を受信装置から送信装置又は送信装置から受信装置に送信することができる。
【００６１】
図８は、送信装置１及び受信装置２の回路の第３変形例を示す図である。
【００６２】
図８は、垂直同期信号がマイコン２５６及びマイコン１５７に入力されない点で、図７と異なり、その他の点は図７と同一である。
【００６３】
図７の第２変形例では、マイコン２５６はＩ／Ｆ回路２５４からのスイッチ信号を入力し、垂直同期信号のタイミングに同期させて、自身で作成したパターン信号をトランスミッター２５５に出力しているが、第３変形例では、マイコン２５６は垂直同期信号のタイミングに同期させずに、自身で作成したパターン信号をトランスミッター２５５に出力する。即ち、マイコン２５６は、送信装置１及び受信装置２の電源が入っている状態であれば、タイミングを問わずにパターン信号をトランスミッター２５５に出力する。
【００６４】
この場合、Ｒ信号が送信装置１から受信装置２に出力されていると、モニタ９の画面の赤色が乱れる。しかし、ＰＣ４の電源を切る瞬間にモニタ９の表示が乱れることになる場合は、本電源制御システムの使用上の問題は生じない。
【００６５】
また、この場合、パターン信号の電圧値を通常よりも高くし、送信装置１でのマイコン１５７で混在した信号からパターン信号を抽出する又は判別するための電圧の閾値を変更する。例えば、第２変形例で送信装置１から受信装置２に出力されるパターン信号の電圧値が２．５Ｖであれば、第３変形例では、マイコン２５６はパターン信号の電圧値を３Ｖに設定し、マイコン１５７はパターン信号を抽出する又は判別するための電圧の閾値を２．７Ｖに設定する。これにより、パターン信号を確実に抽出し、本電源制御システムの誤動作を防止する。
【００６６】
図８の電源制御システムによれば、受信装置２は、スイッチ２０６と、Ｂ信号に重畳された垂直同期信号に同期させずに、Ｂ信号の受信に使用する番号７，８の信号線とは異なる、Ｒ信号の受信に使用する番号１，２の信号線を介して、電源装置３のオン／オフに利用されるパターン信号を送信装置１に送信するマイコン２５６及びトランスミッター２５５とを備え、送信装置１は、パターン信号を抽出する又は判別するための電圧の閾値に基づいて、Ｒ信号及びスイッチ信号が混在する番号１，２の信号線からパターン信号を取得し、パターン信号を電源装置３に出力するマイコン１５７を備え、受信装置２と送信装置１とは、番号１，２及び番号７，８の信号線を含む１本のＬＡＮケーブル５で接続されている。
【００６７】
よって、ＬＡＮケーブル１本を介して遠隔地にある電源装置のオン／オフを制御することができる。また、従来必要とされた２本のＬＡＮケーブルが１本で足りるので、ケーブルの配線作業が容易化し、コストパフォーマンスを向上させることができる。
【００６８】
尚、本発明は、上述した実施の形態に限定されるものではなく、その要旨を逸脱しない範囲内で種々変形して実施することが可能である。
【図面の簡単な説明】
【００６９】
【図１】本発明の実施の形態に係る電源制御システムの概略構成図である。
【図２】電源装置３の概略構成を示す図である。
【図３】ＬＡＮケーブル５の仕様を示す図である。
【図４】ＲＧＢ信号、水平同期信号及び垂直同期信号のタイミングチャートを示す図である。
【図５】送信装置１及び受信装置２の概略回路図である。
【図６】送信装置１及び受信装置２の回路の第１変形例を示す図である。
【図７】送信装置１及び受信装置２の回路の第２変形例を示す図である。
【図８】送信装置１及び受信装置２の回路の第３変形例を示す図である。
【図９】従来の電源制御システムの構成図である。
【符号の説明】
【００７０】
１  送信装置
２  受信装置
３  電源装置
４  コンピュータ（ＰＣ）
５  ＬＡＮケーブル
１５１ａ〜１５１ｃ  重畳回路
１５２ａ〜１５２ｃ，２５１ａ〜２５１ｃ  ターミネータ
１５３  アンプ
１５４  コンパレータ
１５５  同期回路
１５６  ラッチ
１５７，２５６  マイコン
２５２ａ〜２５２ｃ  分離回路
２０６  スイッチ
２５４  インターフェース（Ｉ／Ｆ）回路２５４
２５５  トランスミッター
【図１】
0004902500.tif 000002
【図２】
0004902500.tif 000003
【図３】
0004902500.tif 000004
【図４】
0004902500.tif 000005
【図５】
0004902500.tif 000006
【図６】
0004902500.tif 000007
【図７】
0004902500.tif 000008
【図８】
0004902500.tif 000009
【図９】
0004902500.tif 000010